(57)【要約】【課題】多種のサイズのインプラント本体に汎用される螺着構成を提供する。【解決手段】特定の大きさの直径の台座部を備えるインプラント本体であり、台座部は直径が徐々に縮小し下から上にねじ山部が形成され、台座部の直径に合わせ下から上に前記ねじ山部を貫通させる等間隔の複数の螺旋溝が設置され、螺旋溝にはねじ山部に合わせて複数の間隔を空ける切削端が形成され、頂端には頂部が形成される。インプラント本体の台座部の直径と螺旋溝の数量とは比率を設定させて設置され、インプラント本体は異なる歯骨の幅及び位置に基きより手早く回転推進し定位させると共に骨粉或いは充填物を詰め込み、インプラントの埋入方向及び角度をより安定させる。【選択図】図１
2015204887.tif 000002
【特許請求の範囲】
【請求項１】
大小の直径が設定可能な台座部が設けられるインプラント本体を備え、前記台座部は直径を徐々に縮小し下から上に必要なねじ山部を形成させ、前記台座部の直径に合わせ下から上に前記ねじ山部を貫通させる等間隔の複数の螺旋溝が設置され、前記螺旋溝には前記ねじ山部に合わせて間隔を空ける複数の切削端が形成され、頂端には頂部が形成され、前記インプラント本体の台座部の直径（ｍｍ）と前記螺旋溝の設置数の比率〔台座部の直径（ｍｍ）/螺旋溝の設置数〕は１．２から２．０の間であることを特徴とする多種のサイズのインプラント本体に汎用される螺着構成。
【請求項２】
前記台座部の直径は３ｍｍから７ｍｍの間であり、前記螺旋溝の数量は２本から４本の間であることを特徴とする、請求項１に記載の多種のサイズのインプラント本体に汎用される螺着構成。
【請求項３】
前記台座部の直径は３．７５ｍｍであり、２本の対応し合う螺旋溝が設置され、前記螺旋溝の設置数の比率〔台座部の直径（ｍｍ）/螺旋溝の設置数〕は１．８７５であることを特徴とする、請求項２に記載の多種のサイズのインプラント本体に汎用される螺着構成。
【請求項４】
前記台座部の直径は４．５ｍｍであり、等間隔で３本の前記螺旋溝が設置され、前記螺旋溝の設置数の比率〔台座部の直径（ｍｍ）/螺旋溝の設置数〕は１．５０であることを特徴とする、請求項２に記載の多種のサイズのインプラント本体に汎用される螺着構成。
【請求項５】
前記台座部の直径は５．２５ｍｍであり、等間隔で４本の前記螺旋溝が設置され、前記螺旋溝の設置数の比率〔台座部の直径（ｍｍ）/螺旋溝の設置数〕は１．３１２５であることを特徴とする、請求項２に記載の多種のサイズのインプラント本体に汎用される螺着構成。
【請求項６】
前記ねじ山部と前記螺旋溝とは同方向に螺旋することを特徴とする、請求項１に記載の多種のサイズのインプラント本体に汎用される螺着構成。
【請求項７】
前記ねじ山部と前記螺旋溝とは反対方向に螺旋することを特徴とする、請求項１に記載の多種のサイズのインプラント本体に汎用される螺着構成。
【発明の詳細な説明】
【技術分野】
【０００１】
本発明は、多種のサイズのインプラント本体に汎用される螺着構成に関し、すなわち、インプラント本体を回転推進させる構造により異なる幅に対応させて歯骨の位置を素早く回転推進させて定位させると共に骨粉或いは充填物を詰め込み、インプラントの方向の角度を安定させる。
【背景技術】
【０００２】
インプラント後にインプラントが非軸方向への力を受力すると、側方への応力（stress）が大幅に高まるため、インプラントの埋入方向の角度は極めて重要である。また、同じく皮質骨（cortical bone）の厚さも重要な要素であり、皮質骨の厚さが増すとインプラント周囲の応力値が顕著に減少する。このような理由により、インプラント本体の埋入前には通常は歯肉の条件を検査し、皮質骨の厚さが不足している場合は、骨粉或いは充填物を補充し皮質骨の厚さを増やさなければならない。
【０００３】
インプラント領域の皮質骨の厚さが不足している場合は増加させねばならず、現在の方式では皮質骨を穿孔し大小の開孔部を設定する骨切り手術（osteotomy）を行い、その後前記開孔部に骨粉（bone growth powder）或いは充填物を充填させ、皮質骨の厚さを増加させた後、インプラントを行う。
【発明の概要】
【発明が解決しようとする課題】
【０００４】
しかしながら、従来のインプラントの骨粉或いは充填物工具は主にグリップの端部に針が設けられて骨粉或いは充填物を前記開孔部から注入させる。但し、このような従来の手工具を使用して骨粉充填動作を行うのは困難が伴い、時間もかかり、患者が不快感を感じるほか、歯科医にとっても時間的及び体力的な負担が大きい。
【０００５】
昨今のより進んだインプラント手術では、インプラント本体を骨切り手術中に開孔部に定位させる過程で、インプラント本体の回転推進構造により骨粉或いは充填物を同時に前記インプラント本体の前端から必要な位置まで注入させる。インプラント技術の進歩は目覚しく、骨粉の充填或いは充填物及びインプラント本体の定位を同調させて施術可能であり、患者のインプラント手術中の苦痛を低減させ、歯科医による処置もより高速化される。
【０００６】
インプラント本体を患者の歯骨位置に埋入させて定位させ、更に骨粉或いは充填物を必要な位置に注入するには、回転推進構造を設置させる必要がある。従来のインプラント本体の構造は、主に螺旋切削構造により患者の歯骨に骨粉或いは充填物を注入させて詰め込み、特に螺旋構造には螺旋溝を設置させて切削及び定位を行う必要がある。しかし、歯骨のインプラント本体を植設する位置及び幅は患者により異なるため、異なる大きさの直径のインプラント本体を使用せねばならない。インプラント本体の構造上の主要な欠点は、異なる大きさのインプラント本体にも同じ回転推進構造が使用されるため、インプラント本体の埋入速度及び適合性に重大な影響を与える点である。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、多種のサイズのインプラント本体に汎用される螺着構成を提供することを主目的とする。
【課題を解決するための手段】
【０００９】
上述した課題を解決し、目的を達成するために、本発明に係る多種のサイズのインプラント本体に汎用される螺着構成は、大小の直径が設定可能な台座部が設けられるインプラント本体を備え、前記台座部は直径を徐々に縮小し下から上に必要なねじ山部を形成させ、前記台座部の直径に合わせ下から上に前記ねじ山部を貫通させる等間隔の複数の螺旋溝が設置され、前記螺旋溝には前記ねじ山部に合わせて間隔を空ける複数の切削端が形成され、頂端には頂部が形成され、前記インプラント本体の台座部の直径（ｍｍ）と前記螺旋溝の設置数の比率〔台座部の直径（ｍｍ）/螺旋溝の設置数〕は１．２から２．０の間であることを特徴とする。
【００１０】
上述したように、前記インプラント本体は異なる歯骨の幅及び位置に合わせてより素早く回転推進し定位すると共に骨粉或いは充填物を詰め込み、インプラントの埋入角度もより安定する。
【００１１】
この好ましい実施形態では、前記台座部の直径は３ｍｍから７ｍｍの間であり、前記螺旋溝の数量は２本から４本の間であることを特徴とする。
【００１２】
この好ましい実施形態では、前記台座部の直径は３．７５ｍｍであり、２本の対応し合う螺旋溝が設置され、前記螺旋溝の設置数の比率〔台座部の直径（ｍｍ）/螺旋溝の設置数〕は１．８７５であることを特徴とする。
【００１３】
この好ましい実施形態では、前記台座部の直径は４．５ｍｍであり、等間隔で３本のこれら前記螺旋溝が設置され、前記螺旋溝の設置数の比率〔台座部の直径（ｍｍ）/螺旋溝の設置数〕は１．５０であることを特徴とする。
【００１４】
この好ましい実施形態では、前記台座部の直径は５．２５ｍｍであり、等間隔で４本のこれら前記螺旋溝が設置され、前記螺旋溝の設置数の比率〔台座部の直径（ｍｍ）/螺旋溝の設置数〕は１．３１２５であることを特徴とする。
【００１５】
この好ましい実施形態では、前記ねじ山部と前記螺旋溝とは同方向に螺旋する、或いは推進力を増加させて反対方向に螺旋することを特徴とする。
【発明の効果】
【００１６】
本発明によれば、インプラント本体は異なる歯骨に埋入されて定位すると共に骨粉或いは充填物をより高速に詰め込め、インプラントの埋入方向及び角度がより安定する。
【図面の簡単な説明】
【００１７】
【図１】本発明の一実施形態に係る多種のサイズのインプラント本体に汎用される螺着構成を説明する傾斜図である。
【図２】同上、図１を示す正面図である。
【図３】同上、図１を示す上面図である。
【図４】同上、図３−３を示す断面図である。
【図５】本発明の他の実施形態に係る多種のサイズのインプラント本体に汎用される螺着構成を説明する正面図である。
【図６】同上、図５を示す上面図である。
【図７】本発明の他の実施形態に係る多種のサイズのインプラント本体に汎用される螺着構成を説明する正面図である。
【図８】同上、図１を示す上面図である。
【図９】本発明に係る多種のサイズのインプラント本体に汎用される螺着構成が異なる広さの歯骨による埋収状態を説明する概略図である。
【図１０】本発明の他の実施形態に係る多種のサイズのインプラント本体に汎用される螺着構成を説明する傾斜図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１９】
（第１実施形態）
以下、第１実施形態を図１〜４に基づいて説明する。図１乃至４に示すように、本実施形態では小さめの（３．７５ｍｍ等）インプラント本体１０であり、このインプラント材料は二酸化ジルコニウムから構成され、前記インプラント本体１０には特定の大きさの直径Ａの台座部１１が設けられ、前記直径Ａは異なる大きさの歯骨の幅に適合させ、サイズは約３ｍｍから７ｍｍの間である。以下の実施形態では、図１から図４の直径Ａは３．７５ｍｍであり、図５及び図６の直径Ｂは４．５ｍｍであり、図７及び図８の直径Ｃは５．２５ｍｍであるが、但しこれらは例を挙げ説明するためであり、これらに制限するわけではない。
【００２０】
なお、前記インプラント本体１０の構造は、前記台座部１１から直径が徐々に縮小する方式により下から上に必要なねじ山部１２が形成され、前記直径Ａに対応させ前記ねじ山部１２を下から上に貫通させる等間隔の複数の螺旋溝１３が設置され（本実施形態では２本の対応し合う螺旋溝１３）、前記螺旋溝１３は前記ねじ山部１２に対応させて間隔を空ける複数の切削端１４が形成され、頂端には頂部１５が形成される。前記インプラント本体１０は工具（図示せず）に連動されて回転され、切削して歯骨の位置に定位されると共に骨粉或いは充填物を詰め込む。また、本実施形態によると、前記ねじ山部１２と前記螺旋溝１３とは同方向に螺旋し、即ち、前記ねじ山部１２が図式中で上から下に時計回りの方向に螺旋する場合、前記螺旋溝１３も同様に以時計回りの方向に下に向け延伸される。
【００２１】
本発明の主な特徴は、前記インプラント本体１０の台座部１１の直径Ａと前記螺旋溝１３の設置数との比率〔台座部の直径（ｍｍ）/螺旋溝の設置数〕は約１．２から２．０の間であり、本実施形態では、前記台座部１１の直径Ａは３．７５ｍｍであり、２本の対応し合う螺旋溝１３が設置され、前記螺旋溝１３の設置数の比率〔台座部の直径（ｍｍ）/螺旋溝の設置数〕は１．８７５である。
【００２２】
（第２実施形態）
図５及び図６に示すように、台座部１１０の直径Ｂが４．５ｍｍのインプラント本体１００を例にすると、前記比率に基き３本の等間隔の螺旋溝１３０が設置され、前記螺旋溝１３０の設置数の比率〔台座部の直径（ｍｍ）/螺旋溝の設置数〕は１．５０である。
【００２３】
（第３実施形態）
図７及び図８に示すように、台座部１１１の直径Ｃが５．２５ｍｍのインプラント本体１００を例にすると、前記比率に基き４本の等間隔の螺旋溝１３１が設置され、前記螺旋溝１３１の設置数の比率〔台座部の直径（ｍｍ）/螺旋溝の設置数〕は１．３１２５である。
【００２４】
歯骨２０が異なる位置で幅も異なる場合、本発明では異なるサイズのインプラント本体１０、インプラント本体１００、並びにインプラント本体１０１を用い図示するように異なる各位置に配置させ、異なる数量の螺旋溝１３、螺旋溝１３０、並びに螺旋溝１３１が設けられる前記インプラント本体１０、インプラント本体１００、及びインプラント本体１０１は異なる幅の各歯骨２０の位置にそれぞれ応用され、骨切り手術により予め穿設された開孔部２１から埋入させて定位させ、骨粉２２を詰め込む（図９参照）。
【００２５】
（第４実施形態）
図１０は本発明の第４実施形態である。この好ましい実施形態では、前記インプラント本体１０２の前記ねじ山部１２０と前記螺旋溝１３００とは反対方向に螺旋する。即ち、前記ねじ山部１２０が図式中で上から下に時計回りの方向に螺旋すると、前記螺旋溝１３００は反対の反時計回りの方向に下に向け延伸され、インプラント本体１０２が回転し切削して歯骨に埋入すると、前記ねじ山部１２０は埋入方向への更なる推進力を得る。
【００２６】
さらに、本発明では、幅の異なる歯骨２０の位置に応用される前記インプラント本体１０、インプラント本体１００、及びインプラント本体１０１は異なる数量の前記螺旋溝１３、螺旋溝１３０、及び螺旋溝１３１を有し、異なる数量の螺旋溝及び切削端（如前記切削端１４）を形成させて各前記異なる位置に対応させてインプラント本体１０、インプラント本体１００、及びインプラント本体１０１を埋入させて定位させ、骨粉インプラント本体を詰め込む回転推進動作を行わせる。異なる数量の前記螺旋溝１３、螺旋溝１３０、及び螺旋溝１３１の設置比率に基き、前記インプラント本体１０、インプラント本体１００、並びにインプラント本体１０１の異なる歯骨２０への埋入、定位、及び骨粉或いは充填物の詰め込みがより高速化され、インプラントの埋入方向の角度により安定する。
【００２７】
以上、本発明はこのような実施形態に限定されるものではなく、発明の趣旨を逸脱しない範囲において、種々の形態で実施することができる。
【符号の説明】
【００２８】
１０      インプラント本体        
１００      インプラント本体        
１０１      インプラント本体        
１０２      インプラント本体        
１１      台座部        
１１０      台座部        
１１１      台座部        
１２      ねじ山部        
１２０      ねじ山部        
１３      螺旋溝        
１３０      螺旋溝        
１３１      螺旋溝        
１３００      螺旋溝        
１４      切削端        
１５      頂部        
２０      歯骨        
２１      開孔部        
２２      骨粉        
Ａ      直径        
Ｂ      直径        
Ｃ      直径   
【図１】
2015204887.tif 000003
【図２】
2015204887.tif 000004
【図３】
2015204887.tif 000005
【図４】
2015204887.tif 000006
【図５】
2015204887.tif 000007
【図６】
2015204887.tif 000008
【図７】
2015204887.tif 000009
【図８】
2015204887.tif 000010
【図９】
2015204887.tif 000011
【図１０】
2015204887.tif 000012